(57)【要約】      （修正有）【課題】一つの組み合わせユニットが崩壊し、汚れが溜まり、又は交換する時、一つの組み合わせユニットのみを交換すればよく、全体を交換する必要がなく、資源を節約し、かつ旅行時、取り外して携帯しやすく、スペースも節約するクッションを提供する。【解決手段】枕、クッション、マット又はマットレスを同じ又は異なる組み合わせユニット１で組み立て、かつ組み合わせユニットと組み合わせユニットとの間に接続装置５が設けられ、組み合わせかつ取り外しやすい、多機能モジュール化した組み合わせパッドとする。【選択図】図１
2018153602.tif 000002
【特許請求の範囲】
【請求項１】
多機能モジュール化した組み合わせパッドであって，複数の組み合わせユニットを含み、前記組み合わせユニットと組み合わせユニットとの間に接続装置が設けられ、前記接続装置は組み合わせユニットと固定的に接続される、ことを特徴とする多機能モジュール化した組み合わせパッド。
【請求項２】
前記接続装置が面ファスナー接続、磁気接続、ジッパー、ロープ接続、包帯による接続、スナップ接続とボタン接続のうちの一種を含む、ことを特徴とする請求項１に記載の多機能モジュール化した組み合わせパッド。
【請求項３】
前記面ファスナー接続が横方向面ファスナーと縦方向面ファスナーを含み、前記横方向面ファスナーは縦方向面ファスナーと固定的に接続される、ことを特徴とする請求項２に記載の多機能モジュール化した組み合わせパッド。
【請求項４】
前記磁気接続が磁気接続ストリップを含み、隣接する二つの前記組み合わせユニット上の磁気接続ストリップの極性が逆である、ことを特徴とする請求項２に記載の多機能モジュール化した組み合わせパッド。
【請求項５】
前記スナップ接続がフックとスロットを含み、前記フックが組み合わせユニットの側辺に設けられ、前記スロットが隣接する組み合わせユニットの側辺に設けられる、ことを特徴とする請求項２に記載の多機能モジュール化した組み合わせパッド。
【請求項６】
前記組み合わせユニットに換気機能モジュールが設けられ、前記換気機能モジュールが組み合わせユニットの表面に規則的に配列される、ことを特徴とする請求項１乃至請求項５のいずれか一項に記載の多機能モジュール化した組み合わせパッド。
【請求項７】
前記組み合わせユニット内にマッサージモジュールが設けられ、前記マッサージモジュールが他の組み合わせユニットと固定的に接続される、ことを特徴とする請求項１乃至請求項５のいずれか一項に記載の多機能モジュール化した組み合わせパッド。
【請求項８】
前記組み合わせユニット内に加熱モジュールが設けられ、前記加熱モジュールが他の組み合わせユニットと固定的に接続される、ことを特徴とする請求項１乃至請求項５のいずれか一項に記載の多機能モジュール化した組み合わせパッド。
【請求項９】
前記組み合わせユニットに涼感材料を採用するモジュールが設けられ、前記涼感材料を採用するモジュールが組み合わせユニットと固定的に接続される、ことを特徴とする請求項１乃至請求項５のいずれか一項に記載の多機能モジュール化した組み合わせパッド。
【発明の詳細な説明】
【技術分野】
【０００１】
本発明は、家庭生活と旅行用の用品に関し、より具体的には、本発明は、多機能モジュール化した組み合わせパッドに関する。
【背景技術】
【０００２】
現在、社会的経済の発展に伴い、それぞれの家族に用いられる家庭用品、例えば、枕、マットレス、マット、及びカーシートなどは、ほとんど一体的であり、長期間使用すると、磨耗、崩壊などの問題を発生する可能性があり、例えば、ソファのクッションでは、ほとんどの人は真ん中に座り、長期間使用すれば、中央が崩壊する可能性がある。例えば、マットレスでは、人が長い時間マットレスの上に寝ると、背中とお尻の部位が磨耗しやすく、かつ汚れが溜まりやすくなり、全体での洗浄がしにくく、交換が必要となると全体を交換する必要があり、資源を浪費する。
【発明の概要】
【発明が解決しようとする課題】
【０００３】
本発明の目的は上記問題を解決し、多機能モジュール化した組み合わせパッドを提供することである。
【課題を解決するための手段】
【０００４】
上記目的を達成するために、本発明の技術的解決手段は多機能モジュール化した組み合わせパッドであり、その特徴は、複数の組み合わせユニットを含み、前記組み合わせユニットと組み合わせユニットとの間に接続装置が設けられ、前記接続装置は組み合わせユニットと固定的に接続されることである。枕、クッション、マット又はマットレスを同じ又は異なる組み合わせユニットで組み立て、かつ組み合わせユニットと組み合わせユニットとの間に接続装置が設けられ、組み合わせかつ取り外しやすく、このようにして、一つの組み合わせユニットが崩壊し、汚れが溜まり、又は交換する時、一つの組み合わせユニットのみを交換すればよく、全体を交換する必要がなく、資源を節約し、かつ旅行時、取り外して携帯しやすく、スペースも節約する。
【０００５】
好ましくは、前記接続装置は面ファスナー接続、磁気接続、ジッパー、ロープ接続、包帯による接続、スナップ接続とボタン接続のうちの一種を含む。接続装置は面ファスナー接続、磁気接続、ジッパー、ロープ接続、包帯による接続、スナップ接続とボタン接続のうちの一種であり、このような接続方式は接続かつ取り外しやすく、組み立てと取り外しの時間と作業負荷を大幅に低減させる。
【０００６】
好ましくは、前記面ファスナー接続は横方向面ファスナーと縦方向面ファスナーを含み、前記横方向面ファスナーは縦方向面ファスナーと固定的に接続される。前記横方向面ファスナーは横方向の接続と固定に用いられ、縦方向面ファスナーは縦方向の接続と固定に用いられる。
【０００７】
好ましくは、前記磁気接続は磁気接続ストリップを含み、前記隣接する二つの組み合わせユニット上の磁気接続ストリップの極性は逆である。組み合わせユニットに磁気接続ストリップを設けることにより、隣接する二つの組み合わせユニット上の磁気接続ストリップの極性が逆であるため、組み立てかつ取り外しやすく、組み立てと取り外しの作業負荷を大幅に低減させる。
【０００８】
好ましくは、前記スナップ接続はフックとスロットを含み、前記フックは組み合わせユニットの側辺に設けられ、前記スロットは隣接する組み合わせユニットの側辺に設けられる。スナップ接続はフックとスロットによって接続され、これにより組立精度が高く、隙間が小さく、組み立てられた後のクッションの快適さが高い。
【０００９】
好ましくは、前記組み合わせユニットに換気機能モジュールが設けられ、前記換気機能モジュールは組み合わせユニットの表面に規則的に配列される。組み合わせユニット上の換気機能モジュールは、換気の作用を果たし、夏には効果的に換気することができ、あせもが出ることを回避し、かつ長期寝たきりの患者が床ずれすることはない。
【００１０】
好ましくは、前記組み合わせユニット内にマッサージモジュールが設けられ、前記マッサージモジュールは組み合わせユニットと固定的に接続される。マッサージモジュールはマッサージの作用を果たし、一日働いて、横たわった時にマッサージし、疲労を和らげることができる。
好ましくは、前記組み合わせユニット内に加熱モジュールが設けられ、前記加熱モジュールは組み合わせユニットと固定的に接続される。冬の時期、加熱機能を有するモジュールは熱を発生し、体を温め、電気毛布のような機能を果たす。
【００１１】
好ましくは、前記組み合わせユニットに涼感材料モジュールが設けられ、前記涼感材料モジュールユニットは組み合わせユニットと固定的に接続される。涼感材料モジュールを有する組み合わせユニットは他の組み合わせユニットに接続され、暑い夏には涼しさと快適さを与え、防暑と冷房の作用を果たす。
【００１２】
本発明は以下の有益な効果を有する。枕、クッション、マット又はマットレスを同じ又は異なる組み合わせユニットで組み立て、かつ組み合わせユニットと組み合わせユニットとの間に接続装置が設けられ、組み合わせかつ取り外しやすく、このようにして、一つの組み合わせユニットが崩壊し、汚れが溜まり、又は交換する時、一つの組み合わせユニットのみを交換すればよく、全体を交換する必要がなく、資源を節約し、かつ旅行時、取り外して携帯しやすく、スペースを節約し、この製品は人間工学的な要件に応じて、異なる特定の市場に対して、異なる形状、異なる材料、異なる硬さの材料の異なる組み合わせを用いてお客さまのさまざまなニーズを満たす。
【図面の簡単な説明】
【００１３】
【図１】図１は本発明の構造概略図である。
【図２】図２は面ファスナー接続の構造概略図である。
【図３】図３は磁気接続の構造概略図である。
【図４】図４はスナップ接続の構造概略図である。
【図５】図５はボタン接続の構造概略図である。
【発明を実施するための形態】
【００１４】
以下は具体的な実施例を参照し、かつ図面を参照し、本発明の技術的解決手段についてさらに説明する。
【００１５】
＜実施例１＞
多機能モジュール化した組み合わせパッド（図１−５を参照する）は、複数の組み合わせユニット１を含み、前記組み合わせユニット１と組み合わせユニット１との間に接続装置５が設けられ、前記接続装置５は組み合わせユニット１と固定的に接続され、前記接続装置は面ファスナー接続２、磁気接続、ジッパー、ロープ接続、包帯による接続、スナップ接続とボタン４接続のうちの一種を含み、前記面ファスナー接続２は横方向面ファスナー２１と縦方向面ファスナー２２を含み、前記横方向面ファスナー２１は縦方向面ファスナー２２と固定的に接続される。前記組み合わせユニット１に換気機能モジュール６が設けられ、前記換気機能モジュール６は組み合わせユニットの表面に規則的に配列され、前記組み合わせユニット１内にマッサージモジュール９が設けられ、前記マッサージモジュール９は組み合わせユニット１と固定的に接続され、前記組み合わせユニット１内に加熱モジュール１０が設けられ、前記加熱モジュール１０は組み合わせユニットと固定的に接続され、前記組み合わせユニットに涼感材料を採用するモジュールが設けられ、前記涼感材料を採用するモジュールは組み合わせユニットと固定的に接続される。
【００１６】
本出願はソファのクッション又はマットレスを同じ組み合わせユニットで組み立て、かつ組み合わせユニットと組み合わせユニットとの間に接続装置が設けられ、組み立てかつ取り外しやすく、このようにして、一つの組み合わせユニットが崩壊し、汚れが溜まり又は交換する時、一つの組み合わせユニットのみを交換すればよく、全体を交換する必要がなく、資源を節約し、かつ旅行時、取り外して携帯しやすく、スペースを節約し、接続装置は面ファスナー接続、磁気接続、面ファスナー、ジッパー、ロープ接続、スナップ接続とボタン接続のうちの一種であり、このような接続方式は接続かつ取り外しやすく、組み立てと取り外しの時間と作業負荷を大幅に低減させ、横方向面ファスナーは横方向の接続と固定に用いられ、縦方向面ファスナーは縦方向の接続と固定に用いられ、組み立てられた後のクッションの快適さが高い。組み合わせユニット上の換気機能モジュールは、換気の作用を果たし、夏には効果的に換気することができ、あせもが出ることを回避し、かつ長期寝たきりの患者が床ずれすることはなく、マッサージモジュールはマッサージの作用を果たし、一日働いて、横たわった時にマッサージし、疲労を和らげることができ、冬の時期、加熱機能を有するモジュールは熱を発生し、体を温め、電気毛布のような機能を果たし、又は組み合わせユニットに涼感材料モジュールが設けられ、涼感材料モジュールを有する組み合わせユニットは他の組み合わせユニットに接続され、暑い夏には涼しさと快適さを与え、防暑と冷房の作用を果たす。
【００１７】
＜実施例２＞
多機能モジュール化した組み合わせパッド（図１、３を参照する）は、複数の組み合わせユニット１を含み、前記組み合わせユニット１と組み合わせユニット１との間に接続装置５が設けられ、前記接続装置５は組み合わせユニット１と固定的に接続され、前記接続装置５は面ファスナー接続２、磁気接続、面ファスナー、ジッパー、ロープ接続、スナップ接続とボタン４接続のうちの一種を含み、前記磁気接続は磁気接続ストリップ３を含み、前記隣接する二つの組み合わせユニット１上の磁気接続ストリップ３の極性は逆である。前記組み合わせユニット１に換気機能モジュール６が設けられ、前記換気機能モジュール６は組み合わせユニットの表面に規則的に配列され、前記組み合わせユニット１内にマッサージモジュール９が設けられ、前記マッサージモジュール９は組み合わせユニット１と固定的に接続され、前記組み合わせユニット１内に加熱モジュール１０が設けられ、前記加熱モジュール１０は組み合わせユニットと固定的に接続され、前記組み合わせユニットに涼感材料を採用するモジュールが設けられ、前記涼感材料を採用するモジュールは組み合わせユニットと固定的に接続される。
【００１８】
本出願はソファのクッション又はマットレスを同じ組み合わせユニットで組み立て、かつ組み合わせユニットと組み合わせユニットとの間に接続装置が設けられ、組み立てかつ取り外しやすく、このようにして、一つの組み合わせユニットが崩壊し、汚れが溜まり、又は交換する時、一つの組み合わせユニットのみを交換すればよく、全体を交換する必要がなく、資源を節約し、かつ旅行時、取り外して携帯しやすく、スペースを節約し、接続装置は面ファスナー接続、磁気接続、面ファスナー、ジッパー、ロープ接続、スナップ接続とボタン接続のうちの一種であり、このような接続方式は接続かつ取り外しやすく、組み立てと取り外しの時間と作業負荷を大幅に低減させ、組み合わせユニットに磁気接続ストリップを設けることにより、隣接する二つの組み合わせユニット上の磁気接続ストリップの極性が逆であるため、組み立てかつ取り外しやすく、組み立てと取り外しの作業負荷を大幅に低減させる。組み合わせユニット上の換気機能モジュールは、換気の作用を果たし、夏には効果的に換気することができ、あせもが出ることを回避し、かつ長期寝たきりの患者が床ずれすることはなく、マッサージモジュールはマッサージの作用を果たし、一日働いて、横たわった時にマッサージし、疲労を和らげることができ、冬の時期、加熱機能を有するモジュールは熱を発生し、体を温め、電気毛布のような機能を果たし、又は組み合わせユニットに涼感材料モジュールが設けられ、涼感材料モジュールを有する組み合わせユニットは他の組み合わせユニットに接続され、暑い夏には涼しさと快適さを与え、防暑と冷房の作用を果たす。
【００１９】
＜実施例３＞
多機能モジュール化した組み合わせパッド（図１、４を参照する）は、複数の組み合わせユニット１を含み、前記組み合わせユニット１と組み合わせユニット１との間に接続装置５が設けられ、前記接続装置５は組み合わせユニット１と固定的に接続され、前記接続装置５は面ファスナー接続２、磁気接続、面ファスナー、ジッパー、ロープ接続、スナップ接続とボタン４接続のうちの一種を含み、前記スナップ接続はフック７とスロット８を含み、前記フック７は組み合わせユニット１の側辺に設けられ、前記スロット８は隣接する組み合わせユニット１の側辺に設けられる。前記組み合わせユニット１に換気機能モジュール６が設けられ、前記換気機能モジュール６は組み合わせユニットの表面に規則的に配列され、前記組み合わせユニット１内にマッサージモジュール９が設けられ、前記マッサージモジュール９は組み合わせユニット１と固定的に接続され、前記組み合わせユニット１内に加熱モジュール１０が設けられ、前記加熱モジュール１０は組み合わせユニットと固定的に接続され、前記組み合わせユニットに涼感材料を採用するモジュールが設けられ、前記涼感材料を採用するモジュールは組み合わせユニットと固定的に接続される。
【００２０】
本出願はソファのクッション又はマットレスを同じ組み合わせユニットで組み立て、かつ組み合わせユニットと組み合わせユニットとの間に接続装置が設けられ、組み立てかつ取り外しやすく、このようにして、一つの組み合わせユニットが崩壊し、汚れが溜まり、又は交換する時、一つの組み合わせユニットのみを交換すればよく、全体を交換する必要がなく、資源を節約し、かつ旅行時、取り外して携帯しやすく、スペースを節約し、接続装置は面ファスナー接続、磁気接続、面ファスナー、ジッパー、ロープ接続、スナップ接続とボタン接続のうちの一種であり、このような接続方式は接続かつ取り外しやすく、組み立てと取り外しの時間と作業負荷を大幅に低減させ、スナップ接続はフックとスロットによって接続され、これにより組立精度が高く、隙間が小さく、組み立てられた後のクッションの快適さが高い。組み合わせユニット上の換気機能モジュールは、換気の作用を果たし、夏には効果的に換気することができ、あせもが出ることを回避し、かつ長期寝たきりの患者が床ずれすることはなく、マッサージモジュールはマッサージの作用を果たし、一日働いて、横たわった時にマッサージし、疲労を和らげることができ、冬の時期、加熱機能を有するモジュールは熱を発生し、体を温め、電気毛布のような機能を果たし、又は組み合わせユニットに涼感材料モジュールが設けられ、涼感材料モジュールを有する組み合わせユニットは他の組み合わせユニットに接続され、暑い夏には涼しさと快適さを与え、防暑と冷房の作用を果たす。
【００２１】
＜実施例４＞
多機能モジュール化した組み合わせパッド（図１、５を参照する）は、複数の組み合わせユニット１を含み、前記組み合わせユニット１と組み合わせユニット１との間に接続装置５が設けられ、前記接続装置５は組み合わせユニット１と固定的に接続され、前記接続装置５はボタン４である。前記組み合わせユニット１に換気機能モジュール６が設けられ、前記換気機能モジュール６は組み合わせユニットの表面に規則的に配列され、前記組み合わせユニット１内にマッサージモジュール９が設けられ、前記マッサージモジュール９は組み合わせユニット１と固定的に接続され、前記組み合わせユニット１内に加熱モジュール１０が設けられ、前記加熱モジュール１０は組み合わせユニットと固定的に接続され、前記組み合わせユニットに涼感材料を採用するモジュールが設けられ、前記涼感材料を採用するモジュールは組み合わせユニットと固定的に接続される。
【００２２】
本出願はソファのクッション又はマットレスを同じ組み合わせユニットで組み立て、かつ組み合わせユニットと組み合わせユニットとの間に接続装置が設けられ、組み立てかつ取り外しやすく、このようにして、一つの組み合わせユニットが崩壊し、汚れが溜まり、又は交換する時、一つの組み合わせユニットのみを交換すればよく、全体を交換する必要がなく、資源を節約し、かつ旅行時、取り外して携帯しやすく、スペースを節約し、ボタンは係合かつ取り外しやすい。組み合わせユニット上の換気機能モジュールは、換気の作用を果たし、夏には効果的に換気することができ、あせもが出ることを回避し、かつ長期寝たきりの患者が床ずれすることはなく、マッサージモジュールはマッサージの作用を果たし、一日働いて、横たわった時にマッサージし、疲労を和らげることができ、冬の時期、加熱機能を有するモジュールは熱を発生し、体を温め、電気毛布のような機能を果たし、又は組み合わせユニットに涼感材料モジュールが設けられ、涼感材料モジュールを有する組み合わせユニットは他の組み合わせユニットに接続され、暑い夏には涼しさと快適さを与え、防暑と冷房の作用を果たす。
【００２３】
上記具体的な実施方式は本発明を説明するために用いられ、本発明を限定するものではなく，本発明の精神と請求項の保護範囲内で，本発明に対するいかなる変更と改良は，いずれも本発明の保護範囲内に属する。
【符号の説明】
【００２４】
１、組み合わせユニット
２、面ファスナー接続
２１、横方向面ファスナー
２２、縦方向面ファスナー
３、磁気接続ストリップ
４、ボタン
５、接続装置
６、換気機能モジュール
７、フック
８、スロット
９、マッサージモジュール
１０、加熱モジュール
【図１】
2018153602.tif 000003
【図２】
2018153602.tif 000004
【図３】
2018153602.tif 000005
【図４】
2018153602.tif 000006
【図５】
2018153602.tif 000007
【手続補正書】
【提出日】平成30年7月9日(2018.7.9)
【手続補正１】
【補正対象書類名】特許請求の範囲
【補正対象項目名】全文
【補正方法】変更
【補正の内容】
【特許請求の範囲】
【請求項１】
多機能モジュール化した組み合わせパッドであって、複数の組み合わせユニットを含み、前記組み合わせユニットと組み合わせユニットとを接続する接続装置が設けられ、前記接続装置は前記複数の組み合わせユニットを横方向に複数個及び縦方向に複数個固定的に接続し、
前記接続装置が横方向面ファスナーと縦方向面ファスナーを含み、前記横方向面ファスナーは横方向の接続と固定に用いられ、前記縦方向面ファスナーは縦方向の接続と固定に用いられ、前記横方向面ファスナーは前記縦方向面ファスナーと固定的に接続される、ことを特徴とする多機能モジュール化した組み合わせパッド。
【請求項２】
前記組み合わせユニットに換気機能モジュールが設けられ、前記換気機能モジュールが組み合わせユニットの表面に規則的に配列される、ことを特徴とする請求項１に記載の多機能モジュール化した組み合わせパッド。
【請求項３】
前記組み合わせユニット内にマッサージモジュールが設けられることを特徴とする請求項１に記載の多機能モジュール化した組み合わせパッド。
【請求項４】
前記組み合わせユニット内に加熱モジュールが設けられることを特徴とする請求項１に記載の多機能モジュール化した組み合わせパッド。
【請求項５】
前記組み合わせユニットに涼感材料を採用するモジュールが設けられ、前記涼感材料を有する組み合わせユニットは他の組み合わせユニットに接続される、ことを特徴とする請求項１に記載の多機能モジュール化した組み合わせパッド。